【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
第１のデバイスで、ヌルデータパケット肯定応答（ＮＤＰ  ＡＣＫ）フレームまたはＮＤＰ修正ＡＣＫフレームを備える制御フレームを生成することと、前記ＮＤＰ  ＡＣＫフレームまたはＮＤＰ修正ＡＣＫフレームは持続時間フィールドおよび持続時間表示フィールドを備え、ここにおいて、前記持続時間表示フィールドは、前記ＮＤＰ  ＡＣＫまたは前記ＮＤＰ修正ＡＣＫに関するシグナリング情報を提供し、ここにおいて、前記ＮＤＰ  ＡＣＫは中継フレームフィールドをさらに備え、ここにおいて、シグナリング情報を提供することは、非ゼロ値に等しい時間期間の間にいずれのデータフレームも送信しないように対象とする局（ＳＴＡ）に示すために、前記持続時間表示フィールドを１に等しく設定することと、前記中継フレームフィールドを１に等しく設定することと、前記持続時間フィールドを前記非ゼロ値に設定することとを備え、
第２のデバイスに前記制御フレームを送信することと
を備える、ワイヤレス通信の方法。
【請求項２】
前記ヌルデータパケット肯定応答（ＮＤＰ  ＡＣＫ）フレームまたはＮＤＰ修正ＡＣＫフレームは、タイプフィールドと、識別子フィールドと、追加のデータを記憶するためのフィールドとをさらに備える、請求項１に記載の方法。
【請求項３】
シグナリング情報を提供することは、アイドル期間を示すために、前記持続時間表示フィールドを１に等しく設定することを備える、請求項１に記載の方法。
【請求項４】
制御フレームを生成することは、１ＭＨｚ  ＮＤＰ  ＡＣＫフレームまたは１ＭＨｚ  ＮＤＰ修正ＡＣＫフレームを生成することを備える、請求項１に記載の方法。
【請求項５】
制御フレームを生成することは、２ＭＨｚ以上の帯域幅を有するＮＤＰ  ＡＣＫフレームまたは２ＭＨｚ以上の帯域幅を有するＮＤＰ修正ＡＣＫフレームを生成することを備える、請求項１に記載の方法。
【請求項６】
前記持続時間表示フィールドは、ネットワーク割振りベクトル（ＮＡＶ）が存在するかどうかを示す、請求項１に記載の方法。
【請求項７】
前記持続時間フィールドは非ＮＡＶ値を示す、請求項１に記載の方法。
【請求項８】
前記持続時間フィールドはスリープ持続時間値を示す、請求項７に記載の方法。
【請求項９】
前記持続時間フィールドは識別（ＩＤ）拡張フィールドを含む、請求項７に記載の方法。
【請求項１０】
前記ＮＤＰ  ＡＣＫフレームまたはＮＤＰ修正ＡＣＫフレームは、前記制御フレームが正常に受信されたことを確証するための巡回冗長検査（ＣＲＣ）フィールドをさらに備える、請求項１に記載の方法。
【請求項１１】
前記ＮＤＰ  ＡＣＫフレームまたはＮＤＰ修正ＡＣＫフレームは、前記制御フレームを受信するデバイスの挙動を変更する、または経路損失を推定するための送信（ＴＸ）電力表示フィールドをさらに備える、請求項１に記載の方法。
【請求項１２】
前記タイプフィールドは３ビットを含み、前記識別子フィールドは９ビットを含み、前記持続時間表示フィールドは１ビットを含み、前記持続時間フィールドは１０ビットを含み、前記追加のデータを記憶するためのフィールドは１ビットを含む、請求項２に記載の方法。
【請求項１３】
前記タイプフィールドは３ビットを含み、前記識別子フィールドは１６ビットを含み、前記持続時間表示フィールドは１ビットを含み、前記持続時間フィールドは１４ビットを含み、前記追加のデータを記憶するためのフィールドは１ビットを含む、請求項２に記載の方法。
【請求項１４】
前記識別子フィールドの値は、受信されたフレームの部分的フレーム検査シーケンス（ＦＣＳ）および前記受信されたフレームのスクランブラシードのうちの１つまたは複数に基づく、請求項２に記載の方法。
【請求項１５】
前記識別子フィールドの値は、部分的基本サービスセット識別子（ＰＢＳＳＩＤ）、部分的関連付け識別子（ＰＡＩＤ）、およびヌルデータパケット省電力ポーリング（ＮＤＰ  ＰＳ−ｐｏｌｌ）フレームに関する巡回冗長検査（ＣＲＣ）のうちの１つまたは複数に基づく、請求項２に記載の方法。
【請求項１６】
前記タイプフィールドは、バッファステータスを示す、請求項２に記載の方法。
【請求項１７】
前記持続時間フィールドは、時間遅延値を示す、請求項２に記載の方法。
【請求項１８】
ヌルデータパケット肯定応答（ＮＤＰ  ＡＣＫ）フレームまたはＮＤＰ修正ＡＣＫフレームを備える制御フレームを生成するように構成されたプロセッサと、前記ＮＤＰ  ＡＣＫフレームまたはＮＤＰ修正ＡＣＫフレームは持続時間フィールドおよび持続時間表示フィールドを備え、ここにおいて、前記持続時間表示フィールドは、前記ＮＤＰ  ＡＣＫまたは前記ＮＤＰ修正ＡＣＫに関するシグナリング情報を提供し、ここにおいて、前記ＮＤＰ  ＡＣＫが中継フレームフィールドをさらに備え、ここにおいて、シグナリング情報を提供することは、非ゼロ値に等しい時間期間の間にいずれのデータフレームも送信しないように対象とする局（ＳＴＡ）に示すために、前記持続時間表示フィールドを１に等しく設定することと、前記中継フレームフィールドを１に等しく設定することと、前記持続時間フィールドを前記非ゼロ値に等しく設定することとを備え、
第２のデバイスに前記制御フレームを送信するように構成された送信機と
を備える、ワイヤレスネットワークにおいて通信するためのデバイス。
【請求項１９】
前記ヌルデータパケット肯定応答（ＮＤＰ  ＡＣＫ）フレームまたはＮＤＰ修正ＡＣＫフレームは、タイプフィールドと、識別子フィールドと、追加のデータを記憶するためのフィールドとをさらに備える、請求項１８に記載のデバイス。
【請求項２０】
前記シグナリング情報は、アイドル期間を示すために１に設定された前記持続時間表示フィールドを備える、請求項１８に記載のデバイス。
【請求項２１】
前記ＮＤＰ  ＡＣＫフレームおよびＮＤＰ修正ＡＣＫフレームが１ＭＨｚ帯域幅フレームを備える、請求項１８に記載のデバイス。
【請求項２２】
前記ＮＤＰ  ＡＣＫフレームおよびＮＤＰ修正ＡＣＫフレームは、２ＭＨｚ以上の帯域幅フレームを備える、請求項１８に記載のデバイス。
【請求項２３】
前記持続時間表示フィールドは、ネットワーク割振りベクトル（ＮＡＶ）が存在するかどうかを示す、請求項１８に記載のデバイス。
【請求項２４】
前記持続時間フィールドは非ＮＡＶ値を示す、請求項１８に記載のデバイス。
【請求項２５】
前記持続時間フィールドはスリープ持続時間値を示す、請求項２４に記載のデバイス。
【請求項２６】
前記持続時間フィールドは識別（ＩＤ）拡張フィールドを含む、請求項２４に記載のデバイス。
【請求項２７】
前記持続時間フィールドは、時間遅延値を示す、請求項２４に記載のデバイス。
【請求項２８】
前記ＮＤＰ  ＡＣＫフレームまたはＮＤＰ修正ＡＣＫフレームは、前記制御フレームが正常に受信されたことを確証するための巡回冗長検査（ＣＲＣ）フィールドをさらに備える、請求項１８に記載のデバイス。
【請求項２９】
前記ＮＤＰ  ＡＣＫフレームまたはＮＤＰ修正ＡＣＫフレームは、前記制御フレームを受信するデバイスの挙動を変更する、または経路損失を推定するための送信（ＴＸ）電力表示フィールドをさらに備える、請求項１８に記載のデバイス。
【請求項３０】
第１のデバイスで、第２のデバイスから制御フレームを受信することと、前記制御フレームは、ヌルデータパケット肯定応答（ＮＤＰ  ＡＣＫ）フレームまたはＮＤＰ修正ＡＣＫフレームを備え、前記ＮＤＰ  ＡＣＫフレームまたはＮＤＰ修正ＡＣＫフレームは持続時間フィールドおよび持続時間表示フィールドを備え、ここにおいて、前記持続時間表示フィールドは、前記ＮＤＰ  ＡＣＫまたは前記ＮＤＰ修正ＡＣＫに関するシグナリング情報を提供し、ここにおいて、前記ＮＤＰ  ＡＣＫは中継フレームフィールドをさらに備え、ここにおいて、シグナリング情報を提供することは、非ゼロ値に等しい時間期間の間にいずれのデータフレームも送信しないように対象とする局（ＳＴＡ）に示すために、前記持続時間表示フィールドを１に等しく設定することと、前記中継フレームフィールドを１に等しく設定することと、前記持続時間フィールドを前記非ゼロ値に設定することとを備え、
前記制御フレームを処理することと
を備える、ワイヤレス通信の方法。
【請求項３１】
前記ヌルデータパケット肯定応答（ＮＤＰ  ＡＣＫ）フレームまたはＮＤＰ修正ＡＣＫフレームは、タイプフィールドと、識別子フィールドと、追加のデータを記憶するためのフィールドとをさらに備える、請求項３０に記載の方法。
【請求項３２】
前記制御フレームを処理することは、前記持続時間フィールドを、それが時間遅延値を示すように、復号することを備える、請求項３１に記載の方法。
【請求項３３】
前記持続時間フィールドの値に基づいて第１のフレームの送信を遅延させることをさらに備える、請求項３１に記載の方法。
【請求項３４】
前記制御フレームを処理することは、前記制御フレームが正常に受信されたことを確証するために前記制御フレームの巡回冗長検査（ＣＲＣ）フィールドを復号することを備える、請求項３０に記載の方法。
【請求項３５】
前記制御フレームを処理することは、前記第１のデバイスの挙動を変更する、または経路損失を推定するために送信（ＴＸ）電力表示フィールドを復号することを備える、請求項３０に記載の方法。
【請求項３６】
前記持続時間表示フィールドの値に基づいてスリープモードに入ることをさらに備える、請求項３０に記載の方法。
【請求項３７】
第２のデバイスから制御フレームを受信するように構成された受信機と、前記制御フレームは、ヌルデータパケット肯定応答（ＮＤＰ  ＡＣＫ）フレームまたはＮＤＰ修正ＡＣＫフレームを備え、前記ＮＤＰ  ＡＣＫフレームまたはＮＤＰ修正ＡＣＫフレームは持続時間フィールドおよび持続時間表示フィールドを備え、ここにおいて、前記持続時間表示フィールドは、前記ＮＤＰ  ＡＣＫまたは前記ＮＤＰ修正ＡＣＫに関するシグナリング情報を提供し、ここにおいて、前記ＮＤＰ  ＡＣＫは中継フレームフィールドをさらに備え、ここにおいて、シグナリング情報を提供することは、非ゼロ値に等しい時間期間の間にいずれのデータフレームも送信しないように対象とする局（ＳＴＡ）に示すために、前記持続時間表示フィールドを１に等しく設定することと、前記中継フレームフィールドを１に等しく設定することと、前記持続時間フィールドを前記非ゼロ値に設定することとを備え、
前記制御フレームを処理するように構成されたプロセッサと
を備える、ワイヤレスネットワークにおいて通信するためのデバイス。
【請求項３８】
前記ヌルデータパケット肯定応答（ＮＤＰ  ＡＣＫ）フレームまたはＮＤＰ修正ＡＣＫフレームは、タイプフィールドと、識別子フィールドと、追加のデータを記憶するためのフィールドとをさらに備える、請求項３７に記載のデバイス。
【請求項３９】
前記プロセッサは、前記持続時間フィールドを、それが時間遅延値を示すように、復号するようにさらに構成される、請求項３７に記載のデバイス。
【請求項４０】
前記プロセッサは、前記制御フレームが正常に受信されたことを確証するために前記制御フレームの巡回冗長検査（ＣＲＣ）フィールドを復号するようにさらに構成される、請求項３７に記載のデバイス。
【請求項４１】
前記プロセッサは、前記第１のデバイスの挙動を変更する、または経路損失を推定するために送信（ＴＸ）電力表示フィールドを復号するようにさらに構成される、請求項３７に記載のデバイス。
【請求項４２】
前記プロセッサは、前記持続時間フィールドの値に基づいて第１のフレームの送信を遅延させるようにさらに構成される、請求項３７に記載のデバイス。
【請求項４３】
前記プロセッサは、前記持続時間表示フィールドの値に基づいてスリープモードに入るようにさらに構成される、請求項３７に記載のデバイス。